(57)【要約】【課題】本発明は、家庭電気器具用入れ子式ワンド組立体に関する。【解決手段】本発明は、伸張位置と格納位置との間で可動であるように互いに内部で入れ子になるように寸法づけられた複数のチューブと、前記チューブが前記格納位置に位置している場合に格納チューブ内部に後退するようになっている前記格納チューブと、前記格納チューブを家庭電気器具に流通させるためのチューブと、を備えている。さらに、本発明では、前記格納チューブが、前記チューブが後退された場合に前記チューブのうち最小径のチューブと係合するように動作する錠止レバーを含んでおり、これにより、前記格納位置において前記チューブを共に保持する。【選択図】図１
2010279798.tif 000002
【特許請求の範囲】
【請求項１】
家庭電気器具用ワンドであって、
伸張位置と格納位置との間で可動であるように互いに内部で入れ子になるように寸法づけられた複数のチューブと、
前記チューブが前記格納位置に位置している場合に格納チューブ内部に後退するようになっている前記格納チューブと、
前記格納チューブを前記家庭電気器具に流通させるためのチューブと、
を備えている前記家庭電気器具用ワンドにおいて、
前記格納チューブが、前記チューブが後退された場合に前記チューブのうち最小径のチューブと係合するように動作する錠止レバーを含んでおり、これにより前記格納位置において前記チューブを共に保持することを特徴とする家庭器具用ワンド。
【請求項２】
複数の前記チューブのうちの最小径のチューブは、自身の遠位端に、キャップを具備し、
前記キャップはカラーを有しており、かつ
前記格納チューブは、自身の遠位端に、前記キャップのカラーと係合する突出部を具備し、これにより、複数の前記チューブが全て前記格納チューブ内に後退した時、前記突出部は前記カラーに係合して前記キャップは前記格納チューブの遠位端に並んで位置し、かつ前記格納位置では、前記キャップは複数の前記チューブの遠位端の全てを収容する、請求項１に記載の家庭電気器具用ワンド。
【請求項３】
前記突出部は、先端側が前記カラーに向かって拡開するように基端側が前記格納チューブに回動自在に取り付けられた錠止レバーであって、該錠止レバーの先端部は前記キャップの前記カラーを保持し得るフックとされており、かつ、該フックの先端部は、該錠止レバーと前記キャップとが係合する際に、該フックが前記キャップの前記カラー上に載り上がるよう傾斜面に形成されていることを特徴とする、請求項２に記載の家庭器具用ワンド。
【請求項４】
前記格納チューブは、使用者が前記ワンドを操作可能にするハンドルを担持する、請求項１から請求項３までのいずれか１項に記載のワンド。
【請求項５】
前記ハンドルは、前記格納チューブの側部壁の該チューブによって担持される、請求項４に記載のワンド。
【請求項６】
前記ハンドルは前記格納チューブと並んで位置しかつ該チューブの両端を越えて突出しない、請求項５に記載のワンド。
【請求項７】
前記格納位置において、各チューブは前記格納チューブの有効長を完全に占有する、請求項１から請求項６までのいずれか１項に記載のワンド。
【請求項８】
前記チューブを互いに選択的に錠止するか又はこれらチューブ間の自由運動を可能にするように、隣接するチューブ間に固定機構が設けられる、請求項１から請求項７までのいずれか１項に記載のワンド。
【請求項９】
前記格納チューブと隣接する前記チューブとの間に更なる固定機構が設けられる、請求項８に記載のワンド。
【請求項１０】
前記格納位置において、前記固定機構が互いに隣接して位置する、請求項８または請求項９に記載のワンド。
【請求項１１】
各チューブが別のチューブを密封するためのシールを担持する、請求項１から請求項１０までのいずれか１項に記載のワンド。
【請求項１２】
３つのアームが設けられる、請求項１から請求項１１までのいずれか１項に記載のワンド。
【請求項１３】
前記ワンドが真空掃除機に連結されるように構成される、請求項１から請求項１２までのいずれか１項に記載のワンド。
【発明の詳細な説明】
【技術分野】
【０００１】
本発明は、家庭電気器具用入れ子式ワンド組立体に関する。ワンド組立体は、特に、しかし排他的ではなく、真空掃除機用として有用である。
【背景技術】
【０００２】
シリンダ式真空掃除機は、一般に、使用者によって引っ張られる主掃除機本体を備える。主本体は、空気流から塵及び埃を分離するための分離装置を含む。空気流は、ホースと、使用者によって操作されるワンド組立体とによって主本体に導かれる。清掃道具は、通常、ワンドの遠位端に取り付けられる。ホース及びワンド組立体は、掃除機及び堅固なワンドの主本体に取り付けられる可撓性ホースの長さを備える。ワンドは典型的には互いに入れ子式に連結される２つのチューブを備える。チューブのうちの１つはハンドルに堅固に連結され、他のチューブがこのチューブ内に入れ子になっている。錠止装置又はラチェット機構の幾つかには、２つのチューブを互いに対して特定位置に固定するために設けられる。このように、ワンドの全長は、使用者の物理的寸法（背の高さ又は腕の長さ）に適するように構成される。このタイプのワンドの実例は従来技術文献に示されている（例えば、特許文献１参照）。
【先行技術文献】
【特許文献】
【０００３】
【特許文献１】米国特許第３０８３０４１号明細書
【発明の概要】
【発明が解決しようとする課題】
【０００４】
真空掃除機をより都合よく格納し得るように、この真空掃除機をよりコンパクトに作る傾向がある。コンパクトな掃除機本体を具備する多くの掃除機の実例があるが、これらの掃除機のほとんどは、掃除機が不要な期間の間に格納することが難しい、嵩張った２段式ワンドを依然として備えている。包装の観点から、ワンドの寸法は、しばしば、製品を出荷するに要する箱の最小寸法を規定する。
【０００５】
ワンドに３つの段を設けることが知られている。より多くの段を設けることによって、ワンドが完全に折り畳まれた時のワンドの全長は２段式ワンドを具備するものより、より短くなる。しかしながら、ワンドに３以上の段を設けることは、使用者に対するワンドの複雑さを増す。特に、使用に際してワンドを伸張しかつ格納に際してワンドを後退させるのはより時間を浪費しかつ当惑させるものとなり得る。
【０００６】
本発明は、操作するのにより好都合な入れ子式家庭電気器具用ワンドを提供することを目的としている。
【課題を解決するための手段】
【０００７】
本発明の実施形態によれば、伸張位置と格納位置との間で可動であるように互いに内部で入れ子になるように寸法づけられた複数のチューブと、前記チューブが前記格納位置にある時に該チューブが内部に後退し得る格納チューブと、を備える家庭電気器具用ワンドが提供される。
【０００８】
本発明の別の実施形態によれば、使用者が前記ワンドを操作可能にするハンドルを担支持するワンドが提供される。
【０００９】
本発明の別の実施形態によれば、前記側部壁の側部壁の該チューブによって担持されるハンドルを備えるワンドが提供される。
【００１０】
本発明の別の実施形態によれば、前記ハンドルが前記格納チューブと並んで位置しかつ該チューブの両端を越えて突出しないワンドが提供される。
【００１１】
本発明の別の実施形態によれば、前記格納位置において、各チューブが前記格納チューブの有効長を完全に占有するワンドが提供される。
【００１２】
本発明の別の実施形態によれば、前記チューブを互いに選択的に錠止するか又はこれらチューブ間の自由運動を可能にするように、隣接するチューブ間に固定機構が設けられるワンドが提供される。
【００１３】
本発明の別の実施形態によれば、前記格納チューブと隣接する前記チューブとの間に更なる固定機構が設けられるワンドが提供される。
【００１４】
本発明の別の実施形態によれば、前記格納位置において、前記固定機構が互いに隣接して位置するワンドが提供される。
【００１５】
本発明の別の実施形態によれば、各チューブが別のチューブを密封するためのシールを担持するワンドが提供される。
【００１６】
本発明の別の実施形態によれば、３つのアームが設けられるワンドが提供される。
【００１７】
本発明の別の実施形態によれば、前記ワンドが真空掃除機に連結されるように構成されるワンドが提供される。
【００１８】
また、本発明は、各チューブが、自身を別のチューブに対して伸張位置に固定するための固定機構と関連しており、前記チューブが後退した時に１つの固定機構が別の固定機構を解放するように前記固定機構が配置されている、複数のチューブを備える家庭電気器具用ワンドを提供する。
【００１９】
互いに作動する固定機構を設けることによって、使用者は、ワンドを折り畳むために各個別の固定機構を別個に操作する必要はない。このように、そのようなワンドが通常は使用者に与えるであろう更なる複雑さが無く、全長が短いワンドを後退可能にする、かなり多数の段をワンドに設け得る。
【００２０】
好ましくは、各固定機構は、自身が隣接するチューブと関連するチューブを錠止する錠止位置と、自身が前記チューブ間での運動を可能にする解錠位置との間で移動可能である。チューブが後退した時に一方の固定機構が他方の固定機構を押圧して、該他方の固定機構を解錠させるように、隣接する固定機構は、自身のそれぞれのチューブ上に位置づけられる。かくして、コスト及び複雑性に関して不都合な水準となるであろう、固定機構を互いにリンクする必要はない。むしろ、固定機構は、互いに機械的に単純であり従って信頼し得る態様で互いに動作する。
【００２１】
好ましくは、各固定機構は、錠止すべきチューブの外面の窪みに位置する突出部を備える。この窪みは、チューブを形削りすることによって、又は内側チューブの壁に開口を形成することによって形成し得る。この突出部は、チューブに並んで位置するアームによって担持し得る。
【００２２】
好ましくは、これらのアームは、チューブの周りに回動自在に取り付けられる。これは、突出部を半径方向に移動させる。アームの回動取付はアームを弾発的に曲げ易い材料（例えば、ナイロン）から作ることによって、あるいはチューブの周りを回動し得る分離部分として各アームを設けることによって達成し得る。
【００２３】
好ましくは、使用に際して、互いに押圧し合う固定機構の表面はワンドの長手方向軸線に対して傾いており、これにより、固定機構の運動を行うようになっている。
【００２４】
ワンドの固定機構は、ワンドが、使用者がチューブを伸張位置に固定するのに別々に各固定機構を操作する必要のない伸張位置にもたらされる時に該伸張位置にワンドのチューブを自動的に固定すべきことも望まれる。
【００２５】
これはチューブの端部に隣接して直径が増すカラーを設けることによって達成し得る。固定機構上の突出部は、使用に際して、固定機構及びチューブによって画成される空洞内にカラーを収容かつ保持するように、カラーによって一時的に移動可能になっている。あるいは、突出部は、チューブが伸張位置にもたらされる時に内側チューブの窪みにそれ自体単に着座し得る。この窪みは、チューブを形削りするか又は内側チューブの壁に開口を形成することによって形成し得る。
【００２６】
好ましくは、ワンドは互いに対するチューブの回転を阻止する手段を組み込んでいる。このように、使用に際して、使用者は、ワンドの遠位端にある道具の位置を制御することができる。これは、チューブに沿って軸線方向に延在する隆起部と、各固定機構に沿って軸線方向に延在するチャネルとを設けることによって達成し得る。
【００２７】
好ましくは、固定機構の１つは、手動で操作可能である。手動操作制御装置は、チューブのうちの最も幅広なチューブ、すなわち、ワンドが完全に後退した時に他のチューブの全てを収容するチューブに設け得る。都合よくは、制御装置は、ワンドを主動操作するためのハンドルに、又は、該ハンドルに隣接して設置し得る
【００２８】
好ましくは、チューブのうちの１つは、このチューブの別のチューブに対する複数の別様の錠止位置を備える。これは、使用者がこれら自体の物理的要求事項を調節するために
ワンドの全長を調節することを可能にする。
【００２９】
好ましくは、チューブのうちの最も幅広なチューブは、最も幅広なチューブ内の格納位置に複数のチューブを保持するための手段を備える。これは、チューブが格納される時に最も幅狭なチューブ上のカラーを保持するためのフックの形態を取り得る。フックは、チューブが格納位置内に動く時に自動的に作動し得る。
【００３０】
好ましくは、最も幅狭なチューブの遠位端は、チューブが完全に後退した時に固定手段の少なくとも幾つかを収容する手段を備える。これは、固定機構を収容するキャップの形態を取り得る。
【００３１】
さらに、本発明は、家庭電気器具用ワンドであって、互いに内部で入れ子になるように寸法づけられた複数のチューブを備え、各チューブが、自身を別のチューブに対して伸張位置に固定するための固定機構と関連しており、各固定機構が、前記チューブが伸張した時に、チューブを伸張位置に自動的に固定するように前記固定機構が配置されている。かくして、使用者はチューブを伸張位置に固定するために各固定機構を個々に操作する必要はない。
【００３２】
さらにまた、本発明は、家庭用電気器具ワンドであって、互いに内部で入れ子になるように寸法づけられた複数のチューブ、及び複数のチューブを最も幅広なチューブ内の格納位置に保持するようにチューブのうちの最も幅広なチューブがチューブのうちの最も幅狭なチューブと協働する保持手段を備える。通常は、２つのチューブ式ワンドの錠止装置は、２つのチューブを互いに対する何れの位置にも錠止可能にする。複数のチューブを格納位置に保持する最も幅広なチューブに保持手段を設けることは、単純な固定機構、すなわち、チューブが完全に伸張した時にチューブを錠止する必要があるのみの固定機構をチューブの各々に使用可能にする。保持手段は、格納位置にある全てのチューブを保持する機能を助長する。
【００３３】
好ましくは、チュ−ブのうちの最も幅狭なチューブはカラーを備え、かつチューブのうちの最も幅広なチューブは、チューブが格納される時に最も幅狭なチューブ上にカラーを保持するためのフックを具備する錠止機構を備える。
【００３４】
好ましくは、保持手段は、使用者が保持手段を操作する必要がないように、チューブが格納位置に向けて動く時に自動的に作動する。
【００３５】
好ましくは、各チューブはチューブを別のチューブに対して伸張位置に固定するための固定装置と関連し、最も幅狭なチューブの遠位端は、チューブが完全に後退する時に固定機構の少なくとも幾つかを収容するための手段を備える。これは、格納の間に固定手段が損傷しないように保護する。固定手段は、固定機構を収容するための空洞を画成する長手方向に延在する壁を具備するキャップを備え得る。
【００３６】
本発明のこれらの更なる態様は本発明の他の態様の記載／特許請求の範囲の特徴的構成の何れかと組合せ得ることが理解される。
【００３７】
これらの装置はシリンダ又はキャニスタータイプの掃除機に対して特に有用である。しかしながら、これらは、カーペットクリーニング機械のような、概して真空掃除機の他のタイプ又は他の家庭電気器具に使用し得る。
【図面の簡単な説明】
【００３８】
【図１】本発明による伸張状態のワンドを示す図である。
【図２】本発明による伸張状態のワンドを示す図である。
【図３】後退状態の図１のワンドを示す図である。
【図４】図３のワンドを通して切断した断面図である。
【図５】ワンドが伸張状態に錠止された時の、図１のワンドの一部を通して切断した詳細断面図である。
【図６】図５の断面に示すワンドの部品の詳細図である。
【図７】図１のワンドの別の部分を通して切断した詳細断面図である。
【図８】図１のワンドの格納チューブの錠止機構を示す図である。
【図９】図１のワンドの格納チューブの錠止機構を示す図である。
【図１０】図８及び図９の錠止機構の部品をより詳細に示す図である。
【図１１】図８〜図１０の錠止機構の別の実施形態を示す図である。
【図１２】伸張状態に錠止されたワンドの別の実施形態を示す図である。
【図１３】図１２に示す実施形態の部品をより詳細に示す図である。
【図１４】ワンドの格納チューブの錠止機構の別の実施形態を示す図である。
【図１５】ワンドの格納チューブの錠止機構の別の実施形態を示す図である。
【図１６】図１４及び図１５に示す錠止機構を具備するワンドを示す図である。
【図１７】図１４及び図１５に示す錠止機構を具備するワンドを示す図である。
【図１８】完全に後退しかつ錠止された状態の図１６及び図１７のワンドの一部を示す図である。
【図１９】錠止状態にされたワンドのチューブをより詳細に示す図である。
【図２０】錠止状態にされたワンドのチューブをより詳細に示す図である。
【図２１】ワンド用固定機構の更に別の実施形態を示す図である
【発明を実施するための形態】
【００３９】
本発明の実施形態を添付図面を参照して説明する。
【００４０】
図１から図４までに示すワンドは、３つの別個のチューブ２０、３０、４０を備える。これらのチューブは、内部で互いに入れ子にし得るように直径が漸次減少する。３つのチューブは、格納チューブ１０に後退可能に収容される。ハンドル１２は、使用者がワンドを操作可能にすべく格納チューブ１０に連結される。可撓性ホース１８は、格納チューブ１０の部分１６から延在しかつ回転式継手１７によってこの部分に連結される。
【００４１】
チューブ２０、３０、４０は内部で互いに摺動自在であり、かつ（図３及び図４に示すような）格納位置と、（図１及び図２に示すような）伸張位置との間で動き得る。チューブの端部のみが別のチューブに重なるように、１つのチューブが別のチューブから伸張される。図４は、格納チューブ１０内の完全に後退した位置にあるチューブを示す図３の線Ａ−Ａに沿った横断面図である。チューブ２０、３０、４０は、直径が漸次狭まり、長さが漸次長くなる。各チューブの長さは、固定機構２５、３５が互いに並んで置かれている時に、該各チューブが格納チューブ１０の有効長を十分に占有するように選択される。
【００４２】
チューブ４０の遠位端は何れかの周知の態様で、床道具（図示せず）を受容するように構成される。例えば、床ツールは、締まり嵌め、相互連結差込み嵌合、スナップ嵌合連結、ねじ山カラー及びスリーブによって、あるいは何れか他の適切な手段によって、チューブ４０に連結し得る。アクセサリーツールも床道具の代わりにチューブ４０に取り付け得る。
【００４３】
固定機構１５、２５、３５は、チューブが図１及び図２に示す伸張位置にある時に必要とされる、該チューブを互いに錠止するか、あるいは、チューブが図３及び図４に示す格納位置内に後退した時に必要とされる、該チューブの互いに対する自由運動を可能にすることができる。チューブ２０を格納チューブ１０に固定するために、固定機構１５が格納チューブ１０に設けられる。チューブ２０をチューブ３０に固定するために別の固定機構２５が該チューブ２０の遠位端に設けられる。チューブ３０をチューブ４０に固定するために更なる固定機構３５が該チューブ３０の遠位端に設けられる。
【００４４】
図５は、チューブ２０上の固定機構２５をより詳細に示し、図６は、固定機構２５及びチューブ２０の端部の別の視図を示す。チューブ３０上の固定機構３５は同じ態様で働く。固定機構２５は、チューブ２０の外部周りに嵌合するリング２５０を備える。リング２５０の第１環状部分２５１は、チューブ２０の端部から前向きに突出し、かつチューブ２０自体の直径より狭い直径を有する開口を形成する。これは、リング２５０がチューブ２０に対する固定位置に留まることを可能にする。環状部分２５１の開口の直径は、チューブ２０の直径より狭いが、チューブ３０を受容するには十分な大きさである。第１環状部分２５１は傾斜した前部面２５２を備える。第１環状部分２５１の軸線方向後部には、第２環状部分２５３がある。第２環状部分２５３は、第１環状部分２５１に連結され、かつ該第１環状部分から後向きに軸線方向に延在する複数のアーム（図６では全体的に２５９として示されている）を備える。各アーム２５９間には、チューブ２０の外面に沿って嵌合する円弧形状部分２５８がある。円弧形状部分２５８も、第１環状部分２５１に連結されかつアーム２５９より短い距離に対して軸線方向に後向きに延在する。円弧形状部分２５８及びアーム２５９は、狭いギャップ２５７によって周方向に分離される。３つのアーム２５９が示されており、これは好ましい最小数であることが分かっているが、他の数のアーム２５９も設け得る。
【００４５】
固定機構２５は、更に１組の突出部２６５も備える。これらは、チューブ２０上の対応する開口２６４に位置する形状構成物(features)を保持している。チューブ３０の端部はカラー３１０を備えて成り、このカラーは自身の左までのチューブ３０の残部に比較して拡大した直径を有する。カラー３１０は、図５に示すように、チューブ３０を形削りすることによって、チューブの厚さを増加させることによって、あるいはカラーが必要とされる場所におけるチューブの周りに付加的なリング材料を固定することによって、形成し得る。別のチューブを密封するために、各チューブにはシール２６０が設けられる。シール２６０は、チューブ３０の一端に設置されかつチューブの内面に固定される。シール２６０は、適所に接合又は留めることができる。チューブ３０の最後部の環状部分３１２は、カラー３１０と同じ直径を有するものとして示されている。部分３１２は、チューブ２０の隣接壁を押圧しかつチューブを安定化するように働き、及び部分３１２はシール２６０をチューブ２０の内壁に支持可能にもするから、これは好ましい。しかしながら、環状部分３１２はチューブ３０の残部と同じ直径を有し得る。
【００４６】
アーム２５９の各々は、チューブ２０の壁にある開口２６３を貫通して延在する半径方向内向きに延在する突出部２５４を備える。チューブ２０、３０が図示するような錠止位置にあると、突出部２５４はチューブ２０、３０を一緒に錠止するように、チューブ３０に形成された窪み３１４にも位置する。アーム２５９は、傾斜した面２５６を具備する半径方向外向きに延在する部分２５５も備える。固定機構は、突出部２５４と共にアーム２５９が外向きに屈曲しかつ破断せずに図示した位置へ戻ることを可能にするには十分に弾発的である材料から作られる。カラー３１０は、自身が環状部分２５１と突出部２５４の間で捕捉されると、チューブ２０内にチューブ３０を保持する働きをする。環状部分３１４はカラー３１０より狭い直径を備えており、固定機構の突出部２５４を受容するために窪み３１４を形成する。チューブ２０、３０を解放するために、アーム２５９は環状部分２５１周りに回動して半径方向外向きに屈曲する。これは、突出部３１４をチューブ内の窪み３１４及びカラー３１０の外側から解放する。万一これが必要ならば、各アーム２５９の内面２６６はアームが使用者によって容易に把持されることを可能にする凹面プロファイルを備える。
【００４７】
シール２６０は、このシールがより大きなチューブ２０の内面に密封することができるように、チューブの端部を越えて軸線方向及び半径方向に延在する。チューブ２０の軸線方向のいちばん端の部分は、シール２６０がチューブ２０の内面に上手く嵌合することができるように、チューブの残部より狭い直径を有する。狭い端部直径への直径遷移は、チューブの部分２２０として示されている。
【００４８】
図７〜図９は、格納チューブ１０の固定機構をより詳細に示す。簡易化のために、解放キャッチ１５及びチューブ２０（キャッチ１５が作用するチューブ）のみを示す。解放キャッチ１５は、格納チューブ１０の壁を越えて突出しかつキャッチを解放するために手動で操作し得る部分１５１を具備するリング形状部材１５５を備える。解放キャッチ１５は、該キャッチがチューブ１０の長手方向軸線に直角な平面内で動き得るように、チューブ１０（図示せず）によって支持される。キャッチ１５の作動部分はリング状部材１５５から半径方向内向きに延在する突出部１５２である。図９に示すように、チューブ２０が格納チューブ１０から完全に引き抜かれると、突出部１５２はチューブ２０の外面に形成されたチャネル１５６に位置し、かつチューブをこの伸張位置に錠止する働きをする。突出部１５２の切込み１５４はチューブ２０上に位置する隆起部２２を収容しかつチューブ１０、２０が互いに対して捩れないように阻止する働きをする。格納チューブ１０の最前部は、傾斜面１０２と、チューブ１０及び（上述したカラー３１０と類似した）チューブ２０上に位置するカラー１１０の両方よりも狭い直径とを備える。かくして、カラー１１０は格納チューブ１０から引き抜くことができない。傾斜面１０２は、以下により詳細に説明するように、チューブが潰れた時に固定機構２５を解錠する働きをする。シール２１０は、チューブ１０を収容するためにチューブ２０を密封する。
【００４９】
好ましくは、チューブは互いに対して捩じるべきではない。上述したように、軸線方向に延在する隆起部２２が各チューブ２０、３０、４０の外面に沿って設けられる。各固定機構は、隆起部を収容し得るチャネル（２６７、図６）を備える。使用に際して、チューブが互いに対して摺動するがチャネル２６７がチューブ間の何れの回転運動をも阻止するとき、隆起部２２はチャネル２６７内で摺動する。隆起部２２はそれぞれのチューブと同時に押出し品として形成し得る。
【００５０】
肉体的な寸法（背の高さ、腕の長さ）が異なる使用者が快適にワンドを使用し得るように、異なる全長長さに亘る範囲でワンドを調節し得ることが好ましい。この要求を満たすために、最上部のチューブ２０には、図１１に示すような、複数の別の錠止位置２３０が設けられている。都合よくは、これらの錠止位置は、チューブ２０の長さに沿って延びる隆起部２２の切込み２３０として設けられる。そのような実施形態では、解放キャッチ１５は、図１０に示すような切込み１５４を備えていない。代わりに、突出部１５２は、これらの錠止位置切込み２３０の１つに位置することができるように連続している。これは、チューブ２０が格納チューブ１０に対して幾つかの異なる位置の何れか１つに錠止されることを可能にする。
【００５１】
これらのチューブ１０、２０、３０、４０は、スチール又はアルミニウムのような金属、あるいは硬いプラスチック材料でさえからも作り得る。これらのチューブは一定厚さの材料から作ることが好ましく、上述した隆起部及びチャネルはこれらのチューブを形削りすることによって形成される。これは、最終製品の重量を最小化する利点を有する。
【００５２】
上述した実施形態では、固定機構１５、２５、３５はナイロン複合物のような弾発的な可撓性材料から作られる。しかしながら、アーム２５９の等価な回動運動は、各アーム２５９を別個の部分として製造しかつ各アーム２５９と、固定機構２５の残部との間にピボットを設けることによって達成し得る。アーム２５９の弾発性は、アームとチューブ、あるいはアームと固定機構の固定部分との間にばねを取り付けることによって達成し得る。
【００５３】
上述した実施形態はチューブから分離した部分として固定機構２５、３５を示すが、固定機構はチューブと一体に製造し得る。プラスチック固定機構は、金属製チューブの周りにモールド成形し得る（あるいは別様に形成し得る）。あるいは、プラスチック製固定機構は、プラスチックチューブとモールド成形し得る（あるいは別様に形成し得る）。
【００５４】
ここで、ワンドの動作を説明する。ワンドを伸張するために、使用者はハンドル１２によって格納チューブ１０を保持しかつ最も狭いチューブ４０を格納チューブ１０から離して軸線方向に引っ張る。チューブ２０、３０、４０の各々は、チューブ１０から外向きに摺動する。チューブが格納チューブ１０から摺動して出る程度は、隣接するチューブ／固定機構間に存在する摩擦の量によって決定されるから重要ではない。各チューブが別のチューブに対して伸張位置に到達する時（例えば、チューブ３０が図５に示す位置に向けてチューブ２０に対して摺動する時）、チューブ２０、３０は自動的にこの伸張位置に錠止する。図５を参照すると、固定機構２５の突出部２５４は、傾斜面２５６がチューブ３０のカラー３１０上に載るように半径方向外向きに押し込まれる。突出部２５４は、この時、それ自体、チューブ３０内の窪み３１４に着座する。チューブ３０は、カラー３１０に当接する固定機構の環状部分２５１によって更に外向きに摺動することが阻止される。チューブ３０のカラー３１０は、ここで、環状部分２５１及び突出部２５４の垂直面間にしっかりと保持されるので、長手方向の何れにも動くことができない。かくして、チューブ３０は、ここで、チューブ２０に対して錠止される。シール２６０は、チューブ２０の内向きにテーパが付された部分２２０を密封する。チューブ４０は、自身が完全な伸張位置に到達した時に、類似の態様でチューブ３０に対して錠止する。一旦、チューブが全て錠止し合うと、ワンドは使う準備が整っている。チューブの各々は、使用者が各チューブに固定機構を別個に作動させる必要無く自動的な態様にて伸張位置で噛み合うことが理解される。
【００５５】
ワンドを折り畳む手順をここに説明する。使用者は、最初に、格納チューブ１０のキャッチ１５を解放する。これは、キャッチをチューブ２０から解放する。使用者はチューブ４０の遠位端をチューブ１０に向けて軸線方向に動かす。これは、チューブ２０を格納チューブ１０内で摺動させる。一旦、チューブ２０が格納チューブ１０内に完全に後退すると、固定機構２５は（図７に示すように）格納チューブ１０の先端１０２を押し込み、かつ固定機構２５のアーム２５９を半径方向外向きに曲げさせ、かくして、チューブ２０からチューブ３０を解錠する。チューブ３０は、この時、固定機構３５が固定機構２５を押圧するまでチューブ２０内に後退可能である。上述したように、これは、チューブ４０をチューブ３０から解錠するために固定機構３５のアームを半径方向外向きに曲げさせる。使用者がチューブ４０を押し続けると、チューブ４０はチューブ３０内に後退可能であり、かくして、ワンドは完全に後退する。完全なワンドの後退は、使用者が各固定機構２５、３５を別個に操作する必要無く、１つの連続した素早い動きを行うことができる。
【００５６】
図１２及び図１３は、図５及び図６に示す実施形態と類似の図を使ってワンドの別の実施形態を示す。上述したように、チューブ２０′及び３０′はワンドの２つの隣接する段を表す。この実施形態における主な差異は、図５のチューブ３０のカラー３１０がチューブ３０´の一部を構成する傾斜面４７０で置き変えられてることと、図５の突出部２５４が、自身の側部上の傾斜面２５６というよりもむしろ各側部上で真っ直ぐに半径方向に延在する面を具備する突出部４５４によって置き換えられていることである。この別様の装置は、チューブ３０′が錠止位置に向けて伸張される時、突出部４５４が半径方向外向きに動くという点で、上述の実施形態と同じ機能を達成する。ここで、突出部４５４と協働するチューブ３０′の傾斜面４７０によって動きがなされる。図１９及び図２０は、２つの実施形態をより詳細に比較している。
【００５７】
図１２に示す実施形態には幾つかの他の差異がある。チューブ３０′は、チューブの外面に、形作られた窪みというよりはむしろ該チューブに型押しされた開口４１４を備える。これは、製造するのが単純であることが分かっている。チューブ３０′がここで自身の外壁に開口を有するという事実を補償するために、シール４６０が長手方向でチューブ３０′内に更に延在する。シール４６０の最も内側の部分はチューブ３０′の傾斜面４７０の内壁の両方に当接し、シール４６０の最も外側の部分４６２はチューブ２０′の内壁に当接する。使用に際して、突出部４５４は、チューブが錠止される時には、それ自体で開口４１４に着座する。何れかの長手方向のチューブ３０′の動きは、突出部４５４の半径方向面によって阻止される。この装置構成は、前述した装置構成と比較して、チューブが錠止される時により確実であることを使用者に示すことが分かっている。
【００５８】
図１４及び図１５は、この実施形態では１０′として示される格納チューブ１０のための別の錠止機構５００を示す。図１４は、格納チューブ１０′に対する伸張かつ錠止位置にある最も幅の広いチューブ２０′を示す。錠止機構５００は、アクチュエータ部材５１０及び錠止レバー５６０を備える。アクチュエータ部材５１０は、ピボット５２０の周りで格納チューブ１０′に回動自在に取り付けられる。錠止レバー５６０は、ピボット５４０の周りで格納チューブ１０′の別の部分に回動自在に取り付けられる。アクチュエータ部材５１０は、錠止レバー５６０の傾斜面５３５を押圧するリブ５１５を担持する。使用に際して、５８０で示す方向へのアクチュエータ部材５１０の動きは、錠止レバー５６０を５８５で示す方向に上昇又は下降させつつ、リブ５１５を傾斜面５３５に沿って載るようにさせる。錠止レバー５６０の突出部５３０は、チューブ２０′の位置を錠止するために該チューブ２０′の壁の窪み５９０に着座する。アクチュエータ部材５１０を作動させると、突出部５３０を自身の着座位置から上昇可能にし、かくしてチューブ２０′を後退可能にする。錠止レバー５３０は、チューブ４０′の遠位端にあるキャップ６００上にカラー６１０を保持し得るフック５５０も担持する（図１６及び図１７を参照）。全てのチューブが格納チューブ１０′内に後退する時、キャップ６００は格納チューブ１０′の端部に並んで位置し、かつフック５５０はカラー６１０上に係合し得る。アクチュエータ５１０が作動してフック５５０を解放するまで、全てのチューブ２０′、３０′、４０′はこのように格納チューブ１０′内にしっかりと保持される。フック５５０の先端は、チューブが格納チューブ１０′内部に後退される時にカラー６１０によって移動し得る傾斜面５５１を備える。これは、チューブが（図１８に示す）収納位置に向けて動く時に、フック５５０が自動的にカラー５１０上に載り、こうしてキャップ６００を保持することを可能にする。カラー６１０は、分離取付具６００の一部としてよりはむしろチューブ４０′の一部として設け得ることが分かる。格納位置では、キャップ６００は他の段の固定機構の全てを収容し、かくして格納の間にこれらのチューブを保護する働きをする。
【００５９】
ここに記載した錠止装置は、チューブ２０′が種々の伸張位置で錠止されることを可能とするように、図１１に正に示す装置と同じ態様で働き得る。最上部のチューブ２０′には、図１４に５９０として示すタイプの１組の錠止窪みが設けられる。これらの錠止位置は、チューブ２０′の長さに沿って延びる隆起部５９５内の更なる切込み５９０として設け得る。
【００６０】
図２１は、チューブ用固定機構のための更なる別の実施形態を示す。ここでは、前述の実施形態のアーム２５９、４５９が、半径方向に移動可能な錠止部分７００によって置き換えられている。錠止部分７００は、チューブ２０′の周りに嵌合するリング７４０の後向きに延在するリブ７４５によって保持される。ばね７５０は、リブ７４５と錠止部分７００との間で作用しかつチューブ３０′に向けて錠止部分７００を偏倚させる働きをする。この実施形態は前述した実施形態と同じ態様で働き、使用者による手動操作が無くても錠止位置及び解錠位置の両方を自動的に推定する。使用に際して、１つの錠止機構上のカラー７４０の傾斜した先端７４１は、チューブを自動的に解錠するように隣接する錠止機構の傾斜面を押圧する。錠止部分７００は四角い突出部７２０を具備して示されているが、この錠止部分は図１９に示すタイプの傾斜面を備え得る。
【００６１】
図面に示したワンドは、格納チューブに加えて、３つの別個なチューブ又は段を備えるが、このワンドは２段のみ又は３段以上の多数の段を備え得ることが分かる。各付加段は、図示した実施形態の２５、３５として示される固定機構と同じタイプの固定機構を備える。ハンドルは収納チューブの一部として示してきたが、ハンドルは、図１に示す部分１６に代わって、収納チューブの遠位端の内側に嵌合するエルボ形状のパイプとし得る。
【符号の説明】
【００６２】
１０  貯蔵チューブ
１２  ハンドル
１５  固定機構、キャッチ
１６  貯蔵チューブに部分
１７  回転式継手
１８  可撓性ホース
１９  格納チューブ
２０、３０、４０  チューブ
２０´、３０´  チューブ
２２  隆起部
２５、３５  固定機構
１０２  先端
１５１  手動で操作し得る部分
１５２  突出部
１５４  切込み
１５５  環状部材
１５６  チャネル
２２０  テーパが付された部分
２３０  錠止位置切込み
２５０  リング
２５１  第１環状部分
２５２  前部面
２５４、２５５  突出部
２５６  傾斜面
２５８  円弧形状部分
２５９、４５９  アーム
２６０  シール
２６５  突出部
２６６  内面
２６７  チャネル
３１０  カラー
３１２  部分
３１４  環状部分
５９０  切込み
５９５  隆起部
７００  錠止部分
７２０  突出部
７４０  カラー
７４１  先端
７４５  リブ
７５０  ばね
【図１】
2010279798.tif 000003
【図２】
2010279798.tif 000004
【図３】
2010279798.tif 000005
【図４】
2010279798.tif 000006
【図５】
2010279798.tif 000007
【図６】
2010279798.tif 000008
【図７】
2010279798.tif 000009
【図８】
2010279798.tif 000010
【図９】
2010279798.tif 000011
【図１０】
2010279798.tif 000012
【図１１】
2010279798.tif 000013
【図１２】
2010279798.tif 000014
【図１３】
2010279798.tif 000015
【図１４】
2010279798.tif 000016
【図１５】
2010279798.tif 000017
【図１６】
2010279798.tif 000018
【図１７】
2010279798.tif 000019
【図１８】
2010279798.tif 000020
【図１９】
2010279798.tif 000021
【図２０】
2010279798.tif 000022
【図２１】
2010279798.tif 000023